(57)【要約】【課題】携帯機器内にあるノイズ信号源から発生するノイズ信号により、テレビ受信感度の劣化を防止する。【解決手段】本発明は、アンテナからの受信信号とノイズ信号源から出力された第１のノイズ信号からなる高周波信号が供給される入力端子１３６ａと、この入力端子に接続されるとともに第１のノイズ信号の遅延時間を制御する第１の遅延時間制御回路１３１と、ノイズ発生源に近接して配置されたピックアップアンテナ１３４により抽出された第２のノイズ信号が供給される入力端子１３６ｂと、この入力端子に接続されるとともに第２のノイズ信号の遅延時間を制御する第２の遅延時間制御回路１４４と、この第２の遅延時間制御回路からの出力が接続されるとともにノイズキャンセル信号を生成するキャンセル信号生成部１３５と、第１の遅延時間制御回路１３１からの第１のノイズ信号とキャンセル信号生成部１３５からの出力信号を合成する合成回路１３３を設ける。【選択図】図１
2010245749.tif 000002
【特許請求の範囲】
【請求項１】
アンテナからの受信信号とともにノイズ信号源から出力された第１のノイズ信号が供給される第１の入力端子と、前記ノイズ発生源に近接して配置されたピックアップアンテナと、このピックアップアンテナにより前記ノイズ発生源から抽出された第２のノイズ信号が供給される第２の入力端子と、前記第２のノイズ信号に基づいて前記第１のノイズ信号をノイズキャンセルするノイズキャンセル用信号を生成するキャンセル信号生成部と、前記第１のノイズ信号と前記キャンセル信号生成部からの出力信号が合成される合成回路と、この合成回路から出力が接続される出力端子を備え、前記第１の入力端子と前記合成回路の一方の入力との間に接続された前記第１のノイズ信号の遅延時間を制御する第１の遅延時間制御回路と、前記第２の入力端子と前記キャンセル信号生成部との間に接続された前記第２のノイズ信号の遅延時間を制御する第２の遅延時間制御回路のうちいずれか一方あるいは両方が設けられたノイズキャンセル部。
【請求項２】
前記キャンセル信号生成部は、前記第２のノイズ信号の振幅を制御する振幅制御回路と、前記第２のノイズ信号の位相を制御する位相制御回路と、前記第２のノイズ信号の波形の振幅を反転させる波形反転回路を設けた請求項１に記載のノイズキャンセル部。
【請求項３】
前記第１のノイズ信号の位相が前記第２のノイズ信号の位相より進んでいる場合に、前記第１の遅延時間制御回路により前記第１のノイズ信号を遅延させることにより、前記第１のノイズ信号の位相は、前記第２のノイズ信号の位相より遅らせかつ第２のノイズ信号の位相に近づけた請求項１に記載のノイズキャンセル部。
【請求項４】
前記第２のノイズ信号の位相が前記第１のノイズ信号の位相より進んでいる場合に、前記第２の遅延時間制御回路により前記第２のノイズ信号を遅延させることにより、前記第１のノイズ信号の位相は、前記第２のノイズ信号の位相より遅らせかつ第２のノイズ信号の位相に近づけた請求項１に記載のノイズキャンセル部。
【請求項５】
前記第１、第２の遅延時間制御回路は予め定められた時間だけ遅延できる設定とした請求項１に記載のノイズキャンセル部。
【請求項６】
前記第１、第２の遅延時間制御回路の遅延時間は受信チャンネルに応じて最適な値に設定した請求項５に記載の高周波受信部。
【請求項７】
請求項１に記載の前記ノイズキャンセル部からの信号が入力されるとともに受信信号を選局するチューナ部と、このチューナ部からの信号が入力されるとともに復調信号を出力する復調回路を有する高周波受信部。
【発明の詳細な説明】
【技術分野】
【０００１】
本発明は、テレビ受信の可能な高周波受信部を有する携帯用機器に関するものである。
【背景技術】
【０００２】
近年の上記携帯機器は、部品の小型化、半導体素子の集積化がますます進んだことから、非常に軽く、また小型化が進んでいる。
【０００３】
これにより、携帯機器では、携帯電話、携帯式のゲーム機、携帯式のコンピュータ、携帯式の辞書等の機能を有し、さらにテレビ放送を視聴できるようになっている。
【０００４】
なお、この出願の発明に関連する先行技術文献情報としては、例えば、特許文献１が知られている。
【先行技術文献】
【特許文献】
【０００５】
【特許文献１】特開２００８−２２２９４号公報
【発明の概要】
【発明が解決しようとする課題】
【０００６】
しかしながら、従来の携帯機器では、この携帯機器の内部から出力されるクロック信号やその高調波信号がノイズ信号となって、テレビ受信用アンテナから侵入した。
【０００７】
特に、地上波デジタルテレビ放送は、既存のアナログ放送受信時への妨害を考慮して、送信電力を小さくしている。このため、地上波デジタルテレビ受信時に、電波状態が悪い場合には受信感度の劣化となり、テレビ放送を視聴できない場合が発生した。
【０００８】
そこで本発明は、携帯機器内にあるノイズ信号源から発生するノイズ信号により、テレビ受信感度の劣化を防止することを目的とするものである。
【課題を解決するための手段】
【０００９】
この目的を達成するために、本発明のノイズキャンセル部は、アンテナからの受信信号とともにノイズ信号源から出力された第１のノイズ信号が供給される第１の入力端子と、前記ノイズ発生源に近接して配置されたピックアップアンテナと、このピックアップアンテナにより前記ノイズ発生源から抽出された第２のノイズ信号が供給される第２の入力端子と、前記第２のノイズ信号に基づいて前記第１のノイズ信号をノイズキャンセルするノイズキャンセル用信号を生成するキャンセル信号生成部と、前記第１のノイズ信号と前記キャンセル信号生成部からの出力信号が合成される合成回路と、この合成回路から出力が接続される出力端子を備え、前記第１の入力端子と前記合成回路の一方の入力との間に接続された前記第１のノイズ信号の遅延時間を制御する第１の遅延時間制御回路と、前記第２の入力端子と前記キャンセル信号生成部との間に接続された前記第２のノイズ信号の遅延時間を制御する第２の遅延時間制御回路のうちいずれか一方あるいは両方を設ける。
【００１０】
これにより所期の目的を達成するものである。
【発明の効果】
【００１１】
以上のように、本発明のノイズキャンセル部は、アンテナからの受信信号とともにノイズ信号源から出力された第１のノイズ信号が供給される第１の入力端子と、前記ノイズ発生源に近接して配置されたピックアップアンテナと、このピックアップアンテナにより前記ノイズ発生源から抽出された第２のノイズ信号が供給される第２の入力端子と、前記第２のノイズ信号に基づいて前記第１のノイズ信号をノイズキャンセルするノイズキャンセル用信号を生成するキャンセル信号生成部と、前記第１のノイズ信号と前記キャンセル信号生成部からの出力信号が合成される合成回路と、この合成回路から出力が接続される出力端子を備え、前記第１の入力端子と前記合成回路の一方の入力との間に接続された前記第１のノイズ信号の遅延時間を制御する第１の遅延時間制御回路と、前記第２の入力端子と前記キャンセル信号生成部との間に接続された前記第２のノイズ信号の遅延時間を制御する第２の遅延時間制御回路のうちいずれか一方あるいは両方を設ける。
【００１２】
これにより、第１のノイズ信号と、第２のノイズ信号の間で位相差、振幅差だけでなく、大きな時間差による位相ずれがあったとしても、第１の遅延時間制御回路１３１あるいは第２の遅延時間制御回路１４４により、第２のノイズ信号の位相は、第１のノイズ信号の位相より早く、かつ互いの位相差を小さくして設定できる。
【００１３】
この第２のノイズ信号を用いるので、キャンセル信号生成部１３５でのノイズキャンセルの動作の繰り返し回数を少なくできる。このため、ノイズキャンセル部１３６は、第１のノイズ信号を短時間にノイズキャンセルできる。
【００１４】
例えば、このノイズキャンセル部をテレビ受信の可能な高周波受信部の入力部に用いた場合には、弱電界地域における受信感度の劣化を改善できる。
【図面の簡単な説明】
【００１５】
【図１】本発明の実施の形態１における携帯機器のブロック図
【図２】（ａ）同、ノイズキャンセル部に入力される第１のノイズ信号を表す図、（ｂ）同、第１の遅延時間制御回路から出力される第１のノイズ信号を表す図
【図３】（ａ）同、ノイズキャンセル部に入力される第２のノイズ信号を表す図、（ｂ）同、位相制御回路から出力される第２のノイズ信号を表す図、（ｃ）同、波形反転回路から出力されるノイズキャンセル信号を表す図、（ｄ）同、合成回路から出力されるノイズ信号を表す図
【図４】（ａ）同、ノイズキャンセル部に入力される第１のノイズ信号を表す図、（ｂ）同、第１の遅延時間制御回路から出力される第１のノイズ信号を表す図
【図５】（ａ）同、ノイズキャンセル部に入力される第２のノイズ信号を表す図、（ｂ）同、位相制御回路から出力される第２のノイズ信号を表す図、（ｃ）同、波形反転回路から出力されるノイズキャンセル信号を表す図、（ｄ）同、合成回路から出力されるノイズ信号を表す図
【図６】同、ノイズキャンセル部に入力される第１のノイズ信号を表す図
【図７】（ａ）同、ノイズキャンセル部に入力される第２のノイズ信号を表す図、（ｂ）同、第２の遅延時間制御回路から出力されるノイズ信号を表す図、（ｃ）同、位相制御回路から出力される第２のノイズ信号を表す図、（ｄ）同、波形反転回路から出力されるノイズキャンセル信号を表す図、（ｅ）同、合成回路から出力されるノイズ信号を表す図
【発明を実施するための形態】
【００１６】
（実施の形態１）
以下、本発明の実施の形態１について、図１を用いて説明する。図１は、携帯機器１０１のブロック図である。本発明の実施の形態では一実施例として、ＵＨＦ帯のテレビ信号を受信できる携帯機器１０１について説明する。
【００１７】
この携帯機器１０１は、アンテナ１０３からのテレビ信号を受信できる高周波受信部１０５と、送受信を可能とする送受信部１０７と、これら高周波受信部１０５と送受信部１０７から出力信号を信号処理する信号処理部１０９と、この信号処理部１０９からの信号により画像を表示できる画像表示部１１１および音声出力部１１３と、信号処理部１０９に音声信号を入力できる音声入力部１１５と、高周波受信部１０５と送受信部１０７と信号処理部１０９を制御するシステム制御部１１７と、このシステム制御部１１７からの制御信号により主に高周波受信部１０５および送受信部１０７への電源供給を制御する電源回路１１８から構成されている。
【００１８】
また、信号処理部１０９とシステム制御部１１７とにより画像形成部１１９が構成されている。
【００１９】
最初に、高周波受信部１０５の構成について説明する。この高周波受信部１０５は、アンテナ１０３からのテレビ信号が供給される入力端子１２１と、トランスポートストリーム（ＰＳ）信号が出力される出力端子１２３が設けられている。
【００２０】
この入力端子１２１から出力端子１２３に向かって順に、アンテナ１０３の入力インピーダンスを整合させる整合器１２５、高周波信号を増幅する高周波増幅器１２７、この高周波増幅器１２７からの出力信号が入力端子１３６ａを介して入力されるとともに遅延時間を制御する第１の遅延時間制御回路１３１、この第１の遅延時間制御回路１３１からの出力が一方の入力１３３ａに供給される合成回路１３３、出力端子１３６ｃを介して接続されるチューナ部１３０、デジタル信号をデジタル復調する復調回路１３７、誤り訂正および復号化の信号処理を行うデコード部１３９が接続されている。
【００２１】
このデコード部１３９と出力端子１４０との間には、受信信号の品質を判定できる受信品質判定部１４１が接続されている。
【００２２】
また、整合器１２５と高周波増幅器１２７によりアンテナ整合器１４２が構成されている。
【００２３】
さらに、電源回路１１８に近接してピックアップアンテナ１３４が設けられており、このピックアップアンテナ１３４で抽出された電源回路１１８からのノイズ信号は、入力端子１３６ｂに入力される。
【００２４】
この入力端子１３６ｂから合成回路１３３の入力１３３ｂに向かって順に、遅延時間を制御できる第２の遅延時間制御回路１４４、振幅を可変制御できる振幅制御回路１４５、位相を可変制御できる位相制御回路１４７、入力された波形を反転できる波形反転回路１４８が接続されている。
【００２５】
なお、これら振幅制御回路１４５、位相制御回路１４７、波形反転回路１４８によりキャンセル信号生成部１３５が形成されている。この振幅制御回路１４５、位相制御回路１４７、波形反転回路１４８の挿入する順序は入れ替えてもよい。
【００２６】
また、第２の遅延時間制御回路１４４とキャンセル信号生成部１３５は順序を入れ替えてもよい。
【００２７】
さらに、ピックアップアンテナ１３４は、例えばチップインダクタ、プリントパターンを用いて形成することができる。
【００２８】
次に、送受信部１０７は、送受信用アンテナ１５３と、この送受信用アンテナ１５３が入力端子１５５を介して接続されるとともに携帯電話用の送受信用信号を信号処理する送受信回路１５７と、送受信回路１５７の出力に接続されるとともに変調信号、復調信号の処理を行う変復調回路１５９から構成されている。
【００２９】
以上のように構成された携帯機器１０１の動作について、図１を用いて以下説明する。
【００３０】
最初に、送受信部１０７を中心に以下説明する。送受信用アンテナ１５３からの受信信号は、送受信回路１５７により選局されて低い周波数信号に変換され、変復調回路１５９によりベースバンド信号に変換されたのち、信号処理部１０９に入力される。この信号処理部１０９から出力される画像信号、音声信号は、画像表示部１１１、音声出力部１１３により視聴できる。
【００３１】
また、音声入力部１１５からの音声信号は、信号処理部１０９によりデジタル信号に変換されたのち変復調回路１５９に入力される。この変復調回路１５９から出力された変調信号は、送受信回路１５７により高い周波数に変換されて送受信用アンテナ１５３から送信される。
【００３２】
次に、高周波受信部１０５の動作について説明する。アンテナ１０３からのテレビ信号はアンテナ整合器１４２に供給される。このアンテナ整合器１４２は、整合器１２５と高周波増幅器１２７とにより構成され、これによりインピーダンス整合を図ることができる。
【００３３】
このアンテナ整合器１４２から出力されるテレビ信号は、アンテナ１０３から高周波増幅器１２７までの入力部に飛び込んだ例えば電源回路１１８からの不要な第１のノイズ信号とともに、入力端子１３６ａを介してノイズキャンセル部１３６に入力される。
【００３４】
このノイズキャンセル部１３６は、入力端子１３６ａから入力される不要なノイズ信号をピックアップアンテナ１３４により抽出された第２のノイズ信号に基づいてノイズキャンセルする。このノイズキャンセル部１３６の詳細な動作については後述する。
【００３５】
このノイズキャンセル部１３６の出力端子１３６ｃからは、ノイズキャンセルされたテレビ信号が出力され、さらに、チューナ部１３０に入力される。このチューナ部１３０では、高周波増幅器１３０ａ（図示せず）により利得制御されるとともに混合器１３０ｂ（図示せず）により中間周波信号あるいはベースバンド信号に周波数変換される。
【００３６】
この中間周波信号あるいはベースバンド信号は復調回路１３７に入力される。この復調回路１３７から出力される復調信号は、デコード部１３９に入力されて復号化される。このデコード部１３９から出力されるトランスポートストリーム（ＴＳ）信号は、出力端子１２３から出力される。
【００３７】
このＴＳ信号は、信号処理部１０９により映像信号と音声信号が出力され、さらに画像表示部１１１、音声出力部１１３により視聴できる。
【００３８】
また、システム制御部１１７は、高周波受信部１０５の受信チャンネルを選択し、さらに復調回路１３７、デコード部１３９を制御することができる。
【００３９】
さらに、デコード部１３９から出力されるＢＥＲ、Ｃ／Ｎ等の受信品質信号は受信品質判定部１４１に入力される。この受信品質判定部１４１から出力される受信品質判定信号に基づいて、システム制御部１１７により第１の遅延時間制御回路１３１、第２の遅延時間制御回路１４４、振幅制御回路１４５、位相制御回路１４７を制御することができる。
【００４０】
このようにして、高周波受信部１０５、画像形成部１１９、画像表示部１１１、音声出力部１１３により、テレビ信号を視聴することができる。
【００４１】
ところが、このテレビ信号を受信できる高周波受信部１０５は、携帯電話、携帯式のゲーム機、携帯式のコンピュータ、携帯式の辞書等に内蔵された携帯機器として、ますます小型化サイズとされている。
【００４２】
このように、携帯機器１０１としての機能アップ、さらに小型化サイズとなった結果として、例えば電源回路１１８等からのクロック信号あるいは発振信号の高調波信号が、アンテナ１０３からチューナ部１３０の入力部に飛び込んでしまう。
【００４３】
例えば、これらクロック信号の高調波信号あるいは発振器の高調波信号からなるノイズ信号の周波数が、ＵＨＦのテレビ受信信号の周波数と一致した場合には、弱電界地域におけるテレビ放送受信時の受信感度が劣化する。
【００４４】
なお、この高調波信号からなるノイズ信号は、画像形成部１１９、画像表示部１１１を制御するためのそれぞれのクロック信号の高調波信号、あるいは発振器の高調波信号としてもよい。
【００４５】
次に、弱電界地域における受信感度を改善するためのノイズキャンセル部１３６の動作について説明する。
【００４６】
本実施の形態の携帯機器１０１によりＵＨＦテレビ信号を受信する場合には、ＵＨＦ帯のノイズ信号は、例えばクロック信号あるいは発振信号の高調波成分である。
【００４７】
このＵＨＦ帯の高調波信号は、特に温度変化に敏感に変化しやすく、あるいは携帯機器１０１内で反射された複数の高調波信号により合成された信号となるので、時間軸で不規則なノイズ信号となる場合が多い。
【００４８】
このため、合成回路１３３において精度よくノイズキャンセルするために、ノイズキャンセル信号は、第１のノイズ信号に対して振幅、逆位相、時間のすべての関係を正確に一致させることが重要となる。
【００４９】
以下、例えば、ノイズ信号源が規則正しいノイズ信号である場合、あるいはノイズ信号源からのノイズ信号が不規則の場合について順番に説明する。
【００５０】
最初に、例えば、ノイズ信号源が例えば規則正しいノイズ信号である場合について図２（ａ）、（ｂ）、図３（ａ）〜（ｄ）を用いて説明する。
【００５１】
図２（ａ）は、入力端子１３６ａに入力される第１のノイズ信号２０５を例えば正弦波を用いて時間的に規則な信号として表している。なお、横軸は時間２０１であり、縦軸は振幅２０３である。
【００５２】
図３（ａ）は、入力１３３ｂに入力される第２のノイズ信号２０７である。この第２のノイズ信号２０７は、第１のノイズ信号２０５に対して位相差２０９だけ遅れ、かつ振幅が大きい状態を表している。
【００５３】
図２（ｂ）は、第１の遅延時間制御回路１３１から出力される第１のノイズ信号２１１である。この第１のノイズ信号２１１は、第１のノイズ信号２０５を第１の遅延時間制御回路１３１により遅延時間Ｔａだけ遅延させた信号である。
【００５４】
ここで重要なことは、遅延時間Ｔａによる位相差２１３は、位相差２０９より大きくしかつ位相差２０９にできるだけ近づけることである。
【００５５】
これにより、第１のノイズ信号２１１は、第２のノイズ信号２０７に対して位相差２１５だけ遅れた設定とできる。この位相差２１５を例えば最大９０度に設定すれば、位相制御回路１４７による収束時間を大幅に短縮できるので、ノイズキャンセルに要する時間を短縮できる。
【００５６】
図３（ｂ）は、位相制御回路１４７から出力される第２のノイズ信号２１７である。この第２のノイズ信号２１７は、第２のノイズ信号２０７を振幅制御回路１４５により振幅制御し、さらに位相制御回路１４７により位相差２１５だけ位相を遅延した信号である。
【００５７】
図３（ｃ）は、波形反転回路１４８から出力されるノイズキャンセル信号２１９である。このノイズキャンセル信号２１９は、波形反転回路１４８により第２のノイズ信号２１７を波形反転させた信号である。
【００５８】
これにより、ノイズキャンセル信号２１９は、第１のノイズ信号２１１に対して同じ振幅で、かつ逆位相で、かつ時間ずれのない状態とできる。
【００５９】
図３（ｄ）は、合成回路１３３から出力されるノイズ信号２２１を表している。このノイズ信号２２１は、ノイズ成分のないノイズ信号とできる。
【００６０】
このように、第１のノイズ信号２０５が第２のノイズ信号２０７に対して位相が進んでいる場合には、第１の遅延時間制御回路１３１により第１のノイズ信号２０５を時間遅延して第１のノイズ信号２１１とする。その上で、キャンセル信号生成部１３５、合成回路１３３によりノイズキャンセルすればよい。
【００６１】
次に、例えばノイズ信号源からのノイズ信号が不規則であって、かつ入力端子１３６ａの第１のノイズ信号が、入力１３３ｂの第２のノイズ信号より位相の進んでいる場合について、図４（ａ）、（ｂ）、図５（ａ）〜（ｄ）を用いて説明する。
【００６２】
図４（ａ）は、入力端子１３６ａに入力される第１のノイズ信号２５５を例えば正弦波を用いて、時間的に不規則な信号として表している。
【００６３】
図５（ａ）は、入力１３３ｂに入力される第２のノイズ信号２６１である。この第２のノイズ信号２６１は、ノイズ信号２５５に対して位相差２６２だけ遅れ、かつ振幅が大きい状態を表している。
【００６４】
図４（ｂ）は、第１の遅延時間制御回路１３１から出力される第１のノイズ信号２５７である。この第１のノイズ信号２５７は、第１のノイズ信号２５５を第１の遅延時間制御回路１３１により遅延時間Ｔｂだけ遅延させた信号である。
【００６５】
ここで重要なことは、遅延時間Ｔｂによる位相差２５９は、位相差２６２より大きくし、かつ位相差２６７をできるだけ小さく設定することである。
【００６６】
これにより、第１のノイズ信号２５７は、第２のノイズ信号２６１に対して位相差２６７だけ遅れた設定とできる。この位相差２６７を例えば最大９０度に設定すれば、位相制御回路１４７の繰り返し動作による収束時間を大幅に短縮できるので、ノイズキャンセルに要する時間を短縮できる。
【００６７】
図５（ｂ）は、位相制御回路１４７から出力される第２のノイズ信号２６３である。この第２のノイズ信号２６３は、第２のノイズ信号２６１を振幅制御回路１４５により振幅制御し、さらに位相制御回路１４７により位相差２６７だけ位相を遅延した信号である。
【００６８】
図５（ｃ）は、波形反転回路１４８から出力されるノイズキャンセル信号２６５である。このノイズキャンセル信号２６５は、波形反転回路１４８により第２のノイズ信号２６３を波形反転させた信号である。
【００６９】
これにより、ノイズキャンセル信号２６５は、第１のノイズ信号２５７に対して同じ振幅で、かつ逆位相で、かつ時間ずれのない状態とできる。
【００７０】
図５（ｄ）は、合成回路１３３から出力されるノイズ信号２６９を表している。このノイズ信号２６９は、ノイズ成分のないノイズ信号とできる。
【００７１】
このように、第１のノイズ信号２５５が第２のノイズ信号２６１に対して位相が進んでいる場合には、第１の遅延時間制御回路１３１により第１のノイズ信号２５５を時間遅延して第１のノイズ信号２５７とすればよい。
【００７２】
次に、例えばノイズ信号源からのノイズ信号が不規則の場合であって、かつ入力端子１３６ａの第１のノイズ信号が、入力１３３ｂの第２のノイズ信号より位相の遅れて入る場合について、図６、図７（ａ）〜（ｅ）を用いて説明する。
【００７３】
図６は、入力端子１３６ａに入力される第１のノイズ信号３０５を例えば正弦波を用いて、時間的に不規則な信号として表している。
【００７４】
図７（ａ）は、入力１３３ｂに入力される第２のノイズ信号３０７である。この第２のノイズ信号３０７は、第１のノイズ信号３０５に対して位相差３０９だけ遅れ、かつ振幅が大きい状態を表している。
【００７５】
図７（ｂ）は、第２の遅延時間制御回路１４４から出力される第２のノイズ信号３１２である。この第２のノイズ信号３１２は、第２のノイズ信号３０７を第２の遅延時間制御回路１４４により遅延時間Ｔｃだけ遅延させた信号である。
【００７６】
ここで重要なことは、遅延時間Ｔｃによる位相差３１１は、位相差３０９より小さくし、かつ位相差３１５をできるだけ小さく設定することである。
【００７７】
これにより、第２のノイズ信号３１２は、第１のノイズ信号３０５に対して位相差３１５だけ進めた設定とできる。この位相差３１５を例えば９０度以下に設定すれば、第２のノイズ信号３１２の位相を位相制御回路１４７の繰り返し動作による収束時間を大幅に短縮できるので、ノイズキャンセルに要する時間を短縮できる。
【００７８】
図７（ｃ）は、位相制御回路１４７から出力される第２のノイズ信号３１３である。この第２のノイズ信号３１３は、第２のノイズ信号３１２を位相制御回路１４７により位相差２６７だけ位相を遅延した信号である。
【００７９】
図７（ｄ）は、波形反転回路１４８から出力されるノイズキャンセル信号３１７である。このノイズキャンセル信号３１７は、波形反転回路１４８により第２のノイズ信号３１３を波形反転させた信号である。
【００８０】
これにより、ノイズキャンセル信号３１７は、第１のノイズ信号３０５に対して同じ振幅で、かつ逆位相で、かつ時間ずれのない状態とできる。
【００８１】
図７（ｅ）は、合成回路１３３から出力されるノイズ信号３１９を表している。このノイズ信号３１９は、ノイズ成分のないノイズ信号とできる。
【００８２】
このように、第１のノイズ信号３０５が第２のノイズ信号３０７に対して位相が遅れている場合には、第２の遅延時間制御回路１４４により第２のノイズ信号３０７を時間遅延して第２のノイズ信号３１２とすればよい。
【００８３】
以上のように、第１のノイズ信号の位相と第２のノイズ信号の位相の関係にかかわらず、第１の遅延時間制御回路１３１あるいは第２の遅延時間制御回路１４４は、第２のノイズ信号の位相を第１のノイズ信号の位相に対して早く、かつ小さい位相差に設定できる。
【００８４】
この第２の遅延時間制御回路１４４から出力される第２のノイズ信号は、振幅制御回路１４５により振幅制御され、位相制御回路１４７により位相制御され、さらに波形反転回路１４８により波形反転される。
【００８５】
この波形反転回路１４８から出力されたノイズキャンセル信号は、第１の遅延時間制御回路１３１から出力される第１のノイズ信号とともに合成回路１３３に入力される。この合成回路１３３からは、ノイズ信号がノイズキャンセルされたテレビ信号のみが出力される。
【００８６】
このノイズキャンセル部を用いれば、第１のノイズ信号と、第２のノイズ信号の間で位相差、振幅差だけでなく、大きな時間差による位相ずれがあったとしても、第１の遅延時間制御回路１３１あるいは第２の遅延時間制御回路１４４により、第２のノイズ信号の位相は、第１のノイズ信号の位相より早く、かつ位相差を小さくして設定できる。
【００８７】
このように、第１のノイズ信号に位相を近接させた第２のノイズ信号を用いることにより、キャンセル信号生成部１３５でのノイズキャンセル信号を作成する場合の繰り返し回数を短縮できる。このため、ノイズキャンセル部１３６は、第１のノイズ信号を短時間にノイズキャンセルできる。
【００８８】
例えば、このノイズキャンセル部１３６をテレビ受信の可能な高周波受信部１０５の入力部に用いた場合には、弱電界地域における受信感度の劣化を改善できる。
【００８９】
なお、第１の遅延時間制御回路１３１、第２の遅延時間制御回路１４４は、いずれか一方あるいは両方を設けてもよい。
【００９０】
また、第１の遅延時間制御回路１３１または第２の遅延時間制御回路１４４には、コンデンサ、コイル、抵抗等を用いて予め定められた時間遅延を設定することができる。この場合には、回路を簡素化できる。
【００９１】
さらに、第１の遅延時間制御回路１３１または第２の遅延時間制御回路１４４による時間遅延量を受信チャンネルに応じて最適な値に可変できる回路としてもよい。これにより、第１の遅延時間制御回路１３１または第２の遅延時間制御回路１４４の遅延時間を最適な値にするまでの時間を短縮できる。
【００９２】
さらにまた、ノイズキャンセル部１３６は、チューナ部１３０に内蔵されている利得制御用の高周波増幅器１３０ａ（図示せず）の出力から混合器１３０ｂ（図示せず）の入力までの間に接続してもよい。この場合には、ノイズキャンセル部１３６の挿入損失、整合損失による高周波受信部１０５の雑音指数の劣化を軽減できるので、ノイズキャンセル部１３６を挿入することによる受信感度の劣化が少ない。
【００９３】
なお、携帯機器１０１に内蔵された携帯電話を用いた場合には、通話時あるいは待機時において本体部に設けられた携帯電話用アンテナ１５３から大きな送信信号が出力される。この送信信号をノイズ信号としてノイズキャンセル部１３６によりノイズキャンセルすることができる。
【００９４】
また、例えば、受信品質判定部１４１により受信品質の劣化を検出した場合には、システム制御部１１７からの制御信号によりノイズキャンセル部１３６でのノイズキャンセルを行い、デコード部１３９により受信品質の判定を行う。
【００９５】
この動作を繰り返すことにより、最終的に振幅制御回路１４５の振幅と、位相制御回路１４７の位相を最適な値に設定することができる。
【００９６】
さらに、このノイズキャンセル部１３６は、携帯機器１０１に用いるだけでなく、例えば高周波機器に用いても同様の効果を得ることができる。
【産業上の利用可能性】
【００９７】
以上の如く本発明は、テレビ信号の受信可能な携帯電話、携帯式のゲーム機、携帯式のコンピュータ、携帯式の辞書等に用いることができる。
【符号の説明】
【００９８】
１３１  第１の遅延時間制御回路
１３３  合成回路
１３４  ピックアップアンテナ
１３６  ノイズキャンセル部
１３６ａ  入力端子
１３６ｂ  入力端子
１３６ｃ  出力端子
１４４  第２の遅延時間制御回路
【図１】
2010245749.tif 000003
【図２】
2010245749.tif 000004
【図３】
2010245749.tif 000005
【図４】
2010245749.tif 000006
【図５】
2010245749.tif 000007
【図７】
2010245749.tif 000008
【図６】
2010245749.tif 000009